(57)【要約】【課題】ユーザの利便性を損なうことなく効果的に広告を表示することができる表示装置を提供する。【解決手段】表示装置５は、テレビモードと非テレビモードとを含む、複数の表示モードを有する表示装置であって、テレビモードにおいて表示画面中の第１の領域でテレビ表示を行い、テレビ表示を行う第１の期間と重複する第２の期間において、表示画面中の第２の領域でテレビ表示とは異なる情報表示を行う。【選択図】図１
2020198606.tif 000002
【特許請求の範囲】
【請求項１】
テレビモードと非テレビモードとを含む、複数の表示モードを有する表示装置の制御方法であって、
前記テレビモードにおいて表示画面中の第１の領域でテレビ表示を行い、
前記テレビ表示を行う第１の期間と重複する第２の期間において、前記表示画面中の第２の領域で前記テレビ表示とは異なる情報表示を行う、ことを含む
表示装置の制御方法。
【請求項２】
前記テレビ表示とは異なる情報表示は、広告表示を含む
請求項１に記載の表示装置の制御方法。
【請求項３】
前記非テレビモードから前記テレビモードへの切替をさらに含み、
前記切替のトリガは、前記表示装置の向きの変更である
請求項２に記載の表示装置の制御方法。
【請求項４】
前記非テレビモードから前記テレビモードへ切り替えることをさらに含み、
前記切替のトリガは、前記表示装置の電源ＯＮの操作入力を受け付けたことを含む
請求項２に記載の表示装置の制御方法。
【請求項５】
前記表示装置は、費用がスポンサーによって補填されることを条件としてユーザに入手されたものである
請求項２〜４のいずれか一項に記載の表示装置の制御方法。
【請求項６】
前記第１の領域で表示されるテレビ番組の情報を用いて前記広告表示のための広告データを選択することをさらに含む
請求項２〜５のいずれか一項に記載の表示装置の制御方法。
【請求項７】
前記第１の領域で表示されるテレビ番組に含まれるスポンサー情報を用いて前記広告表示のための広告データを選択することをさらに含む
請求項２〜６のいずれか一項に記載の表示装置の制御方法。
【請求項８】
前記表示装置の設置位置の属する地域を用いて前記広告表示のための広告データを選択することをさらに含む
請求項２〜７のいずれか一項に記載の表示装置の制御方法。
【請求項９】
前記第１の領域で表示されるテレビ番組における広告の表示タイミングを用いて、前記第２の期間を決定することをさらに含む
請求項２〜８のいずれか一項に記載の表示装置の制御方法。
【請求項１０】
前記広告表示のための広告データは音声データを含み、
前記音声データを再生する期間においては、前記テレビ表示に伴う音声の再生を行わない
請求項２〜９のいずれか一項に記載の表示装置の制御方法。
【請求項１１】
前記非テレビモードにおいては、前記広告表示を行わない
請求項２〜１０のいずれか一項に記載の表示装置の制御方法。
【請求項１２】
前記非テレビモードにおいても、前記広告表示を行うことをさらに含む
請求項２〜１０のいずれか一項に記載の表示装置の制御方法。
【請求項１３】
前記表示装置は表面に反射率の高いフィルムが貼付されており、消灯時にはミラーモードとして機能する
請求項２〜１２のいずれか一項に記載の表示装置の制御方法。
【請求項１４】
前記表示装置が広告を配信するサーバに接続していない期間に、前記表示装置の機能の少なくとも一部を制限することをさらに含む
請求項２〜１３のいずれか一項に記載の表示装置の制御方法。
【請求項１５】
ユーザの操作入力を受け付ける入力装置を有し、
前記テレビ表示とは異なる情報表示は複数を有し、
前記入力装置により、ユーザが表示させたい前記テレビ表示とは異なる情報表示を選択することができる
請求項２〜１４のいずれか一項に記載の表示装置の制御方法。
【請求項１６】
ユーザの操作入力を受け付ける入力装置を有し、
前記入力装置により、前記テレビ表示を前記第１の領域又は前記第２の領域で行う第１モードと前記テレビ表示を前記第１の領域から前記第２の領域に亘って行う第２モードを
選択することができる
請求項２〜１５のいずれか一項に記載の表示装置の制御方法。
【請求項１７】
ユーザの操作入力を受け付ける入力装置を有し、
前記入力装置により、前記テレビ表示とは異なる情報表示を前記第１の領域又は前記第２の領域で行う第３モードと前記テレビ表示とは異なる情報表示を前記第１の領域から前記第２の領域に亘って行う第４モードを選択することができる
請求項２〜１６のいずれか一項に記載の表示装置の制御方法。
【請求項１８】
テレビモードと非テレビモードとを含む、複数の表示モードを有する表示装置であって、
前記テレビモードにおいて表示画面中の第１の領域でテレビ表示を行い、
前記テレビ表示を行う第１の期間と重複する第２の期間において、前記表示画面中の第２の領域で前記テレビ表示とは異なる情報表示を行う
表示装置。
【発明の詳細な説明】
【技術分野】
【０００１】
本開示は、表示装置の制御方法、及び、表示装置に関する。
【背景技術】
【０００２】
テレビ番組の表示装置において、インターネット等の通信網を介して配信された広告を表示可能な場合がある。例えば、特開２０１４−１２３８７２号公報（以下、特許文献１）の表示装置を利用すると、本来用途としてテレビ番組を表示する一方、副用途として広告を表示することができる。
【先行技術文献】
【特許文献】
【０００３】
【特許文献１】特開２０１４−１２３８７２号公報
【発明の概要】
【０００４】
広告主である企業側は、ユーザに対して広告を提示する機会を多く持ちたいという願望がある。しかしながら、特許文献１の表示装置を利用した場合、本来用途であるテレビ番組の表示中においては、副用途である広告は対応した優先度に基づいて時間的に遅らせて表示される。そのため、優先度によってはユーザに広告が提示される機会が減少してしまう。そこで、ユーザの利便性を損なうことなく効果的に広告を表示することができる表示装置が望まれる。
【０００５】
ある実施の形態に従うと、表示装置の制御方法は、テレビモードと非テレビモードとを含む、複数の表示モードを有する表示装置の制御方法であって、テレビモードにおいて表示画面中の第１の領域でテレビ表示を行い、テレビ表示を行う第１の期間と重複する第２の期間において、表示画面中の第２の領域でテレビ表示とは異なる情報表示を行う、ことを含む。
【０００６】
ある実施の形態に従うと、表示装置は、テレビモードと非テレビモードとを含む、複数の表示モードを有する表示装置であって、テレビモードにおいて表示画面中の第１の領域でテレビ表示を行い、テレビ表示を行う第１の期間と重複する第２の期間において、表示画面中の第２の領域でテレビ表示とは異なる情報表示を行う。
【０００７】
更なる詳細は、後述の実施形態として説明される。
【図面の簡単な説明】
【０００８】
【図１】図１は、実施の形態に係るシステムの構成の概略図である。
【図２】図２は、システムに含まれる管理サーバの構成の概略図である。
【図３】図３は、システムに含まれる表示装置の構成の概略図である。
【図４】図４は、表示装置のディスプレイの向きの変化を説明するための図である。
【図５】図５は、表示装置がテレビモードであるときの表示画面の概略図である。
【図６】図６は、費用を抑えてユーザが表示装置を入手できるビジネスモデルを表した図である。
【図７】図７は、機器データベースの一例である。
【図８】図８は、広告データベースの一例である。
【図９】図９は、システムでの広告提供の流れを表した図である。
【図１０】図１０は、表示装置の他の例を説明するための図である。
【図１１】図１１は、表示装置の表示画面の選択の概略図である。
【図１２】図１２は、表示装置の表示画面の切替えの概略図である。
【発明を実施するための形態】
【０００９】
＜１．表示装置の制御方法、及び、表示装置の概要＞
【００１０】
（１）実施の形態に係る表示装置の制御方法は、テレビモードと非テレビモードとを含む、複数の表示モードを有する表示装置の制御方法であって、テレビモードにおいて表示画面中の第１の領域でテレビ表示を行い、テレビ表示を行う第１の期間と重複する第２の期間において、表示画面中の第２の領域でテレビ表示とは異なる情報表示を行う、ことを含む。
【００１１】
これにより、テレビモードにおいて、テレビ表示とテレビ表示とは異なる情報表示とが重複する期間に行われる。そのため、テレビ番組を視聴するユーザに対してテレビ表示とは異なる情報が表示されることになる。テレビ表示とは異なる情報は、後述のように広告である。また、絵画（美術品の映像）や、世界のエンターテイメントショーなどであってもよい。
【００１２】
（２）好ましくは、テレビ表示とは異なる情報表示は、広告表示を含む。これにより、テレビ表示とは異なる情報が広告である場合には、広告を提示する機会を増加させ、広告効果を高めることができる。
【００１３】
（３）好ましくは、表示装置の制御方法は、非テレビモードからテレビモードへの切替をさらに含み、切替のトリガは、表示装置の向きの変更である。これにより、表示装置の向きが変更されると表示モードが自動で切り替わり、ユーザの利便性が高まるとともに、広告を提示する機会が確保される。
【００１４】
（４）好ましくは、表示装置の制御方法は、非テレビモードからテレビモードへ切り替えることをさらに含み、切替のトリガは、表示装置の電源ＯＮの操作入力を受け付けたことを含む。これにより、ユーザが表示装置の電源をＯＮすることで表示モードが自動的にテレビモードに切り替わる。そのため、ユーザは、通常のテレビと同じような使い方をすることができる。
【００１５】
（５）好ましくは、表示装置は、費用がスポンサーによって補填されることを条件としてユーザに入手されたものである。これにより、ユーザは、費用を抑えて表示装置を入手できるとともに、スポンサーは広告を提示する機会を得ることができる。
【００１６】
（６）好ましくは、表示装置の制御方法は、第１の領域で表示されるテレビ番組の情報を用いて広告表示のための広告データを選択することをさらに含む。テレビ番組の情報は、例えば、番組の内容を示す情報、番組のスポンサーに関する情報、番組中のコマーシャルの表示時間に関する情報、などである。これにより、表示している番組に応じた広告を表示装置に表示させることができ、広告効果を向上させることができる。
【００１７】
（７）好ましくは、表示装置の制御方法は、第１の領域で表示されるテレビ番組に含まれるスポンサー情報を用いて広告表示のための広告データを選択することをさらに含む。スポンサー情報を用いて広告表示のための広告データを選択することは、例えば、スポンサー情報に示されるスポンサーと一致する広告データを選択することである。これにより、広告のスポンサーが番組中のスポンサーと競合することなく、広告効果を向上させることができる。
【００１８】
（８）好ましくは、表示装置の制御方法は、表示装置の設置位置の属する地域を用いて広告表示のための広告データを選択することをさらに含む。これにより、地域に応じて広告効果を向上させることができる。
【００１９】
（９）好ましくは、表示装置の制御方法は、第１の領域で表示されるテレビ番組における広告の表示タイミングを用いて、第２の期間を決定することをさらに含む。これにより、例えば、テレビ番組における広告の表示タイミングと異なるタイミングを第２の期間とすることができる。その結果、広告の表示のタイミングが重複せず、広告効果を向上させることができる。
【００２０】
（１０）好ましくは、広告表示のための広告データは音声データを含み、表示装置の制御方法は、音声データを再生する期間においては、テレビ表示に伴う音声の再生を行わない。これにより、広告の音声が聞きやすくなり、広告効果を向上させることができる。
【００２１】
（１１）好ましくは、表示装置の制御方法は、非テレビモードにおいては、広告表示を行わない。これにより、テレビを視聴するタイミング以外では広告が表示されず、テレビ視聴以外の表示装置の使い勝手を向上させることができる。
【００２２】
（１２）好ましくは、表示装置の制御方法は、非テレビモードにおいても、広告表示を行うことをさらに含む。これにより、広告提示の機会を増加させ、広告効果を向上させることができる。
【００２３】
（１３）好ましくは、表示装置は表面に反射率の高いフィルムが貼付されており、消灯時にはミラーモードとして機能する。これにより、消灯時もミラーモードとすることができ、ユーザの使い勝手が向上する。
【００２４】
（１４）好ましくは、表示装置の制御方法は、表示装置が広告を配信するサーバに接続していない期間に、表示装置の機能の少なくとも一部を制限することをさらに含む。
【００２５】
（１５）好ましくは、表示装置の制御方法は、ユーザの操作入力を受け付ける入力装置を有し、テレビ表示とは異なる情報表示は複数を有し、入力装置により、ユーザが表示させたいテレビ表示とは異なる情報表示を選択することができる。これにより、ユーザは自身で選択して好きな絵画等のテレビと異なる情報を画面に表示させることができる。
【００２６】
（１６）好ましくは、表示装置の制御方法は、ユーザの操作入力を受け付ける入力装置を有し、入力装置により、テレビ表示を第１の領域又は第２の領域で行う第１モードとテレビ表示を第１の領域から第２の領域に亘って行う第２モードを選択することができる。これにより、テレビ表示を単独で表示する際に、広い領域で表示することができる。
【００２７】
（１７）好ましくは、表示装置の制御方法は、ユーザの操作入力を受け付ける入力装置を有し、入力装置により、テレビ表示とは異なる情報表示を第１の領域又は第２の領域で行う第３モードとテレビ表示とは異なる情報表示を第１の領域から第２の領域に亘って行う第４モードを選択することができる。これにより、広告等のテレビと異なる情報を単独で表示する際に、広い領域で表示することができる。
【００２８】
（１８）実施の形態に係る表示装置は、テレビモードと非テレビモードとを含む、複数の表示モードを有する表示装置であって、テレビモードにおいて表示画面中の第１の領域でテレビ表示を行い、テレビ表示を行う第１の期間と重複する第２の期間において、表示画面中の第２の領域でテレビ表示とは異なる情報表示を行う。
【００２９】
これにより、テレビモードにおいて、テレビ表示とテレビ表示とは異なる情報表示とが重複する期間に行われる。そのため、テレビ番組を視聴するユーザに対してテレビ表示とは異なる情報が表示されることになる。テレビ表示とは異なる情報は、上記のように広告である。また、絵画（美術品の映像）や、世界のエンターテイメントショーなどであってもよい。
【００３０】
＜２．表示装置の制御方法、及び、表示装置の例＞
【００３１】
図１を参照して、本実施の形態に係るシステム１００は、管理サーバ１を含む。管理サーバ１は、機器データベース１２１と広告データベース１２２とを有する。機器データベース１２１は、後述するスポンサー付機器を登録するデータベースである。広告データベース１２２は、配信する広告を登録するデータベースである。管理サーバ１は、インターネット等の通信網３に接続可能である。管理サーバ１は、広告データベース１２２から選択された広告を、通信網３を介して、機器データベース１２１に登録されている機器（本実施の形態では表示装置５）に配信する。
【００３２】
システム１００は、表示装置５を含む。表示装置５は、通信網３を介して管理サーバ１と通信する機能を有し、管理サーバ１から配信された広告を受信する。また、表示装置５はアンテナ５９を有し、テレビ信号によって変調された電波を受信する。受信された電波は復調され、テレビ信号が得られる。
【００３３】
表示装置５は、ディスプレイ５４を有する。ディスプレイ５４は出力部の一例である。出力部は、管理サーバ１から取得した広告や、テレビ信号に基づいたテレビ放送番組を出力する。出力部は、他の例として、スピーカや、マイクとスピーカとの組み合せ、などであってもよい。
【００３４】
表示装置５は、制御装置５０を含み、管理サーバ１から取得した広告の出力を制御する。また、制御装置５０は、ユーザの操作入力に従って、表示装置５の有する機能も制御する。表示装置５の有する機能とは、例えば、後述する表示モードの切り替えや、ディスプレイ５４の向きの切り替え、表示するチャンネルの変更、などである。
【００３５】
表示装置５は、さらに、入力装置５５を有する。入力装置５５は、表示装置５に対する操作入力を受け付ける。表示装置５に対する操作は、表示装置５の有する機能を発揮させるための操作を含む。表示装置５に対する操作は、表示された広告に対する操作を含んでもよい。広告に対する操作については後述する。また、表示装置５に対する操作は、後述するディスプレイ５４の向きの変化を指示する操作を含んでもよい。
【００３６】
入力装置５５は、受け付けた操作入力に基づく操作信号を制御装置５０に入力する。制御装置５０は、入力された操作信号に基づいて処理を実行する。なお、表示装置５に対する操作入力を受け付ける装置は、入力装置５５に替えて、又は、入力装置５５に加えて、リモコン６であってもよい。
【００３７】
システム１００は、さらに、処理装置７，９を含む。処理装置７は、後述する、スポンサーの有する処理装置である。処理装置９は、表示装置５の販売会社（以下、販社）が有する処理装置である。これらも、通信網３に接続可能であって、通信網３を介して管理サーバ１と通信可能である。
【００３８】
図２を参照して、管理サーバ１は、プロセッサ１１とメモリ１２とを有するコンピュータで構成される。メモリ１２は、一次記憶装置であってもよいし、二次記憶装置であってもよい。管理サーバ１は、通信網３にアクセスするための通信装置１３をさらに有する。
【００３９】
メモリ１２は、機器データベース１２１と、広告データベース１２２とを有する。また、メモリ１２は、後述する配信結果１２３を記憶している。また、メモリ１２は、プロセッサ１１によって実行されるコンピュータプログラム１２４を記憶している。
【００４０】
プロセッサ１１は、メモリ１２に記憶されているコンピュータプログラム１２４を実行することによって、配信処理１１１を実行する。配信処理１１１は、広告データベース１２２に登録されている広告を機器データベース１２１に登録されている機器に配信する処理である。すなわち、配信処理１１１は、配信する広告のデータを通信装置１３に渡し、配信を指示する処理である。
【００４１】
配信処理１１１は、選択処理１１２を含む。選択処理１１２は、配信処理１１１を行って配信する広告を、広告データベース１２２から選択する処理である。選択処理１１２の具体的な処理については後述する。
【００４２】
配信処理１１１は、さらに、決定処理１１５を含む。決定処理１１５は、配信処理１１１を行って広告を配信するタイミング、つまり、表示装置５で広告を表示するタイミングを決定する処理である。決定処理１１５の具体的な処理については後述する。
【００４３】
プロセッサ１１は、コンピュータプログラム１２４を実行することによって、登録処理１１３を実行する。登録処理１１３は、配信処理１１１による配信結果を配信結果１２３としてメモリ１２に登録する処理である。登録処理１１３によってメモリ１２に登録される配信結果１２３については後述する。
【００４４】
好ましくは、プロセッサ１１は、コンピュータプログラム１２４を実行することによって、購入処理１１４を実行する。購入処理１１４については後述する。
【００４５】
表示装置５は、表示モードとして、テレビモードと非テレビモードとを有する。テレビモードは、ディスプレイ５４にテレビ番組を表示するモードである。非テレビモードはテレビモード以外の表示モードであって、この例では、ミラーモードである。ミラーモードは、ディスプレイ５４を鏡として機能させるモードである。
【００４６】
テレビモードと非テレビモードとは、ディスプレイ５４の向きによって切り替えられる。すなわち、ディスプレイ５４が第１の向きであるときにはテレビモード、ディスプレイ５４が第２の向きであるときには非テレビモードとなる。
【００４７】
図３を参照して、表示装置５は、制御装置５０と、ディスプレイ５４と、入力装置５５と、を含む。制御装置５０は、プロセッサ５１とメモリ５２とを有するコンピュータで構成される。
【００４８】
図４を参照して、ディスプレイ５４は矩形であって、第１の向きと第２の向きとに、向きが可変である。図４の例では、第１の向きは、長辺を縦、短辺を横にして縦長となる向き、つまり、長手方向が縦を向く向き、第２の向きは、長辺を横、短辺を縦にして横長となる向き、つまり、長手方向が横を向く向きである。表示装置５では、ディスプレイ５４が第１の向きのときに表示モードがミラーモードとなり、ディスプレイ５４が第２の向きのときに表示モードがテレビモードとなる。
【００４９】
ディスプレイ５４の向きは、一例として、ディスプレイ５４を物理的に回転させることによって可変となる。そのため、図示しない台座とディスプレイ５４との接続部に回転部材が設けられる。
【００５０】
表示装置５は、さらに、センサ５６を含む。センサ５６は、ディスプレイ５４の向きの変化を検出するセンサである。センサ５６は、例えば、ディスプレイ５４の向きが変化する際に接触する位置に設けられた物理的なボタン、ディスプレイ５４の向きが変化する際にセンサ光を遮るように設けられた発光素子及び受光素子、などである。センサ５６は、検出結果を示すセンサ信号をプロセッサ５１に入力する。
【００５１】
なお、ディスプレイ５４の向きは、プロセッサ５１の制御に従って可変であってもよい。例えば、表示装置５にはディスプレイ５４の向きを変化させるための駆動機構が設けられ、入力装置５５で受け付けたユーザ操作に従うプロセッサ５１の制御によって駆動機構が駆動し、ディスプレイ５４の向きが変化してもよい。又は、リモコン６に、ディスプレイ５４の向きの変化を指示するボタン６１が設けられ、ボタン６１に対するユーザ操作によってディスプレイ５４の向きの変化の指示が行われてもよい。この場合、センサ５６は不要となる。
【００５２】
表示装置５は、さらに、カメラ５７を含む。カメラ５７は、プロセッサ５１の制御に従って、又は、自動的に撮影動作を行い、撮影データをプロセッサ５１に入力する。図４に示されたように、カメラ５７は、ディスプレイ５４の裏面に設置される。ディスプレイ５４の、ユーザに向かう側の面を正面とする。その反対側の面を、ディスプレイ５４の裏面とする。
【００５３】
好ましくは、カメラ５７は、ディスプレイ５４が第１の向きとなり、ユーザがその正面に立ったときにユーザの頭部付近となる高さに設置される。これにより、第１の向きでカメラ５７によってディスプレイ５４の正面に立つユーザの全身を撮影することができる。
【００５４】
表示装置５は、通信網３にアクセスするための第１通信装置５３をさらに有する。第１通信装置５３は、プロセッサ５１の制御に従って広告データを配信する。
【００５５】
表示装置５は、アンテナ５９が接続された第２通信装置５８をさらに有する。第２通信装置５８は、アンテナ５９によって電波を受信し、プロセッサ５１に入力する。受信された電波は、テレビ信号によって変調された電波である。
【００５６】
メモリ５２は、一次記憶装置であってもよいし、二次記憶装置であってもよい。メモリ５２は、固有データ５２１を記憶している。固有データ５２１は、表示装置５固有の識別情報である。また、メモリ５２は、ディスプレイ５４に表示されている番組に関する情報である表示番組を記憶する、表示番組データベース５２４を有する。
【００５７】
メモリ５２は、プロセッサ５１によって実行されるコンピュータプログラムである、テレビ（ＴＶ）モード用プログラム５２２と、ミラーモード用プログラム５２３と、を記憶している。テレビモード用プログラム５２２は、プロセッサ５１にテレビモードの処理を実行させるためのプログラムである。プロセッサ５１がテレビモード用プログラム５２２を実行することによって、表示装置５はテレビモードで動作する。ミラーモード用プログラム５２３は、プロセッサ５１にミラーモードの処理を実行させるためのプログラムである。プロセッサ５１がミラーモード用プログラム５２３を実行することによって、表示装置５はミラーモードで動作する。
【００５８】
テレビモードは、ディスプレイ５４にテレビ番組を表示するモードである。テレビモードでは、図５に示されるように、ディスプレイ５４に表示している同一画面の第１の領域である領域２１にテレビ番組を表示するとともに、テレビ番組の表示を行う期間（第１の期間）と重複する期間（第２の期間）において、同一画面の第２の領域である領域２２に、管理サーバ１から配信された広告も表示する。すなわち、テレビモードでは、ディスプレイ５４の同一画面の異なる領域２１，２２に、同時に、テレビ番組と管理サーバ１から配信された広告とが表示される。そのため、テレビモード用プログラム５２２は、テレビ出力プログラム５２２１と、広告出力プログラム５２２２とを含む。
【００５９】
プロセッサ５１は、メモリ５２に記憶されているテレビモード用プログラム５２２に従うことによって、第１出力処理５１３を実行する。第１出力処理５１３は、テレビモードの表示をディスプレイ５４に行わせる処理である。
【００６０】
ミラーモードは、ディスプレイ５４にカメラ５７による撮影画像を表示するモードである。カメラ５７は上記のようにディスプレイ５４の正面を撮影するものであるため、撮影画像がディスプレイ５４に表示され、そのディスプレイ５４を正面から見ると、鏡のような表示となる。
【００６１】
第１出力処理５１３は、テレビ出力処理５１４と広告出力処理５１５とを含む。プロセッサ５１は、テレビ出力プログラム５２２１に従うことによってテレビ出力処理５１４を実行する。テレビ出力処理５１４は、指示されたテレビ番組をディスプレイ５４の所定領域に表示する処理であって、第２通信装置５８から入力された電波を復調してテレビ信号を得、テレビ信号に基づくテレビ番組をディスプレイ５４中のテレビ表示用の領域（以下、テレビ領域）に表示する処理である。
【００６２】
テレビ出力処理５１４は、さらに、ディスプレイ５４に表示するテレビ番組に関する情報を表示番組データベース５２４に記憶させる処理を含む。テレビ番組に関する情報は、テレビ番組のタイトル、放映時間、スポンサー、コマーシャルの内容、コマーシャルの放映時刻、キーワード、などであって、テレビ信号に含まれるものである。
【００６３】
また、プロセッサ５１は、広告出力プログラム５２２２に従うことによって広告出力処理５１５を実行する。広告出力処理５１５は、管理サーバ１から配信された広告をディスプレイ５４の所定領域に表示する処理であって、第１通信装置５３から入力された広告データに基づく広告の表示を行う処理である。
【００６４】
プロセッサ５１は、第１出力処理５１３において、テレビ出力処理５１４と広告出力処理５１５とを並行して実行し、それぞれの実行による表示を、ディスプレイ５４の同一画面のそれぞれ規定領域に行う。これにより、テレビモードでは、テレビ番組が表示されるとともに、同一の画面に広告も表示される。
【００６５】
プロセッサ５１は、メモリ５２に記憶されているミラーモード用プログラム５２３に従うことによって、第２出力処理５１７を実行する。第２出力処理５１７は、ミラーモードの表示をディスプレイ５４に行わせる処理である。すなわち、第２出力処理５１７は、カメラ５７から入力された撮影データに基づく画像をディスプレイ５４に表示する処理である。
【００６６】
プロセッサ５１は、テレビ出力プログラム５２２１に従うことによって、さらに、検出処理５１１を実行する。検出処理５１１は、ミラーモードからテレビモードに切り替えるトリガを検出する処理である。切り替えのトリガは、予め規定されている、広告を出力するタイミング、すなわち、第１出力処理５１３を実行するイベントを指す。切り替えのトリガは、一例として、ディスプレイ５４の向きが第１の向きから第２の向きに変化したことの検出である。検出処理５１１では、センサ５６から入力されるセンサ信号に基づいてディスプレイ５４の向きの変化を検出する。
【００６７】
なお、切り替えのトリガは、ユーザからの操作入力を受け付けることを含んでもよい。この場合、検出処理５１１は、入力装置５５やリモコン６からの操作信号の入力によって、ディスプレイ５４の向きの変化が指示されたことを検出する処理である。
【００６８】
第１出力処理５１３は、さらに、切替処理５１６を含む。切替処理５１６は、検出処理５１１によって切り替えのトリガが検出されると、表示モードをミラーモードからテレビモードに切り替える処理である。切替処理５１６では、プロセッサ５１は、実行する処理を、第２出力処理５１７から第１出力処理５１３に切り替える。
【００６９】
プロセッサ５１は、テレビモード用プログラム５２２に従うことによって、さらに、要求処理５１２を実行する。プロセッサ５１は、切り替えのトリガが検出されると切替処理５１６を実行するとともに、要求処理５１２も実行する。要求処理５１２は、管理サーバ１に対して広告の配信を要求する処理である。すなわち、要求処理５１２は、広告の配信を要求する信号を第１通信装置５３に渡し、管理サーバ１への送信を指示する処理である。
【００７０】
要求処理５１２は、切り替えのトリガが検出された際に得られたデータを管理サーバ１に送信する処理を含む。切り替えのトリガが検出された際に得られたデータは、管理サーバ１において表示装置５の特定に用いられる情報を含む。表示装置５の特定に用いられる情報は、例えば、表示装置５固有の識別情報や、登録されたユーザに関する情報である。登録されたユーザに関する情報は、例えば、ユーザの性別や年齢や職業や興味のある分野などである。
【００７１】
切り替えのトリガが検出された際に得られたデータは、さらに、表示番組データベース５２４に記憶されている、テレビモードで表示されているテレビ番組に関する情報を含む。
【００７２】
ここで、図６を用いて、システム１００を利用した表示装置５の販売に関するビジネスモデルについて説明する。図６を参照して、表示装置５を入手したいユーザは、表示装置５の販社に対して代金Ａを支払うことによって（ステップＳ１０１）、販社から表示装置５を入手する（ステップＳ１０３）。ステップＳ１０１及びステップＳ１０３は、図示しないユーザの端末装置及び販社の有する処理装置９との間の電子商取引であってよい。なお、代金Ａは、０を含む。すなわち、ステップＳ１０１は、無料で入手することを含む。
【００７３】
販社は、処理装置９を用いて、表示装置５を管理サーバ１に登録する（ステップＳ１０５）。ステップＳ１０５では、処理装置９から管理サーバ１に必要な情報が送信され、機器データベース１２１に登録される。
【００７４】
管理サーバ１を有する管理者からは、販社に対して代金Ｂが支払われる（ステップＳ１０７）。ステップＳ１０７では、管理サーバ１から販社の処理装置９に対して電子決済が行われてもよい。代金Ｂは、表示装置５の本来の費用から代金Ａを差し引いた金額である。つまり、管理者によって、ユーザが支払った表示装置５の費用が補填される。これにより、販社には、表示装置５の本来の費用が支払われることになる。
【００７５】
ステップＳ１０７の、スポンサーによる費用の補填を条件としてユーザに入手された表示装置５を、スポンサー付機器と称する。上記ステップＳ１０５では、表示装置５を、スポンサー付機器として管理サーバ１に登録する。
【００７６】
ステップＳ１０５では、一例として、表示装置５固有の識別情報（機器ＩＤ）が管理サーバ１に登録される。識別情報とともに、ユーザに関する情報や、設置位置を特定する情報などが登録されてもよい。ユーザ情報は、例えば、ユーザ名などのユーザ固有の情報である。その他、ユーザ情報は、例えば、性別や年齢などの属性情報などを含んでもよい。設置位置を特定する情報は、住所や緯度経度などであってもよい。
【００７７】
処理装置９からこのような情報を取得することによって、管理サーバ１の機器データベース１２１には、図７に示されるようなスポンサー付機器に関する情報が登録される。すなわち、図７を参照して、機器データベース１２１には、スポンサー付機器の固有の識別情報（機器ＩＤ）が登録される。好ましくは、さらに、ユーザ情報や設置位置を特定する情報が登録される。
【００７８】
管理者には、スポンサーから広告配信が依頼され、広告費用が支払われる（ステップＳ１０９）。ステップＳ１０９では、スポンサーの有する処理装置７から管理サーバ１に対して広告に関するデータが送信されるとともに、広告費用が電子決済されてもよい。また、販社は、システム１００の利用料（ロイヤリティ）を、管理サーバ１を有する管理者に対して支払ってもよい。このとき、処理装置９を用いて電子決済が行われてもよい。
【００７９】
なお、図６の例では、管理サーバ１を有する管理者と、処理装置９を有する販社とが別の者、つまり、管理サーバ１と処理装置９とが独立した異なる装置であるものとしている。しかしながら、これら２者が同一、つまり、管理サーバ１と処理装置９とが同一の装置、又は、関連して処理を実行する装置群に含まれてもよい。この場合、販社のシステム１００の利用料は発生しない分、ステップＳ１０１でユーザが支払う代金Ａを抑えることができ、表示装置５の販売が促進されることが期待できる。
【００８０】
処理装置７から管理サーバ１に送信される広告に関するデータは、一例として、広告の固有の識別情報（広告ＩＤ）と、広告を表示させるための広告データと、広告主となる処理装置９を有するスポンサーの情報と、含む。
【００８１】
また、広告出力時の番組を特定するデータである番組識別データをさらに含んでもよい。番組識別データは、例えば、番組そのものの情報と、番組放映中に出力されるコマーシャル（ＣＭ）の情報と、を含む。
【００８２】
また、広告を配信するスポンサー付機器を特定するデータである機器識別データをさらに含んでもよい。機器識別データは、例えば、機器のユーザの性別などのユーザ属性を含む。
【００８３】
管理者は、ユーザに広告を配信する（ステップＳ１１１）。ステップＳ１１１では、管理サーバ１から、ユーザの入手した表示装置５に対して広告データが送信される。このとき、管理サーバ１では、配信する広告を、広告データベース１２２から選択する選択処理１１２が実行される。
【００８４】
表示装置５は広告データを受信し、広告データに基づいて広告が表示される。ユーザに広告を配信した管理者は、配信結果を管理サーバ１に登録するとともに、登録された配信結果に基づいて、広告の配信をスポンサーに報告する（ステップＳ１１３）。ステップＳ１１３では、管理サーバ１のメモリ１２に配信結果１２３が登録されるとともに、管理サーバ１から処理装置７に対して、配信結果１２３に基づく配信結果を示すデータが送信される。
【００８５】
このように、図６に示されたビジネスモデルでは、表示装置５を入手したいユーザは、表示装置５の本来の代金よりも低い代金Ａで表示装置５を入手できる。
【００８６】
システム１００では、図９に示された流れで広告が配信される。すなわち、図９を参照して、スポンサー付機器である表示装置５において、図４に示されたようにディスプレイ５４の向きが第１の向きから第２の向きに変更されるユーザ操作が行われた場合など（ステップＳ１）、表示装置５において表示モードを切り替えるトリガが検出される（ステップＳ３）。
【００８７】
切り替えるトリガが検出されると、表示装置５のプロセッサ５１は、表示モードをミラーモードからテレビモードに切り替えるとともに（ステップＳ４）、トリガ検出時のデータを取得する（ステップＳ５）。ステップＳ５では、例えば、表示しているテレビ番組に関する情報などが取得される。表示装置５は、取得されたデータを送信するとともに、広告の要求を管理サーバ１に対して行う（ステップＳ７）。
【００８８】
表示装置５から広告の要求を受けた管理サーバ１は、表示装置５から受信したデータの少なくとも一部をメモリ１２に記憶させる。この記憶は、後述する、配信結果１２３に含まれてもよい。すなわち、広告の配信結果と関連付けて記憶されてもよい。また、管理サーバ１は、表示装置５に配信する広告を広告データベース１２２から選択する選択処理を実行する（ステップＳ９）。また、管理サーバ１は、選択した広告を、表示装置５で表示するタイミングを決定する決定処理を実行する（ステップＳ１０）。そして、管理サーバ１は、選択した広告を、決定したタイミングで表示されるように表示装置５に配信する（ステップＳ１１）。
【００８９】
ステップＳ９では、一例として、表示装置５で表示されている番組に応じて、広告データベース１２２から配信する広告を選択する。この場合、管理サーバ１のプロセッサ１１は、表示装置５からの要求に含まれている、表示モードを切り替えるトリガの検出時のデータに基づいて、広告データベース１２２に登録されている広告の情報を参照してもよい。
【００９０】
また、好ましくは、トリガの検出後、テレビモード中に、表示装置５からテレビ番組に関する情報などの状況を示すデータが管理サーバ１に送信される。状況を示すデータは、所定の間隔などの予め規定されたタイミングで表示装置５から管理サーバ１に送信されてもよいし、表示装置５に状況の変化が生じたときに管理サーバ１に送信されてもよい。状況の変化は、例えば、表示していたテレビ番組が終了したことや、チャンネルが変更されたこと、などである。
【００９１】
この場合、ステップＳ９の広告の選択は、テレビモード中にさらに実行されてもよい。すなわち、広告の選択は、表示装置５からデータを受信するたびに実行されてもよいし、所定の時間間隔など予め規定されたタイミングで実行されてもよい。これにより、表示装置５がテレビモードであるときにおいてチャンネルが変更されるなど状況が変化した場合であっても、適切な広告を配信することができる。
【００９２】
例えば、広告データベース１２２に登録された広告のうち、番組識別データに含まれる番組情報が、表示装置５からの要求に含まれている番組情報に一致、又は、類似する広告を、配信する広告として選択する。これにより、表示している番組に応じた広告が表示装置５に配信される。その結果、広告効果を向上させることができる。
【００９３】
また例えば、広告データベース１２２に登録された広告のうち、スポンサーが、表示装置５からの要求に含まれている番組情報に含まれるスポンサーと一致する広告を、配信する広告として選択する。これにより、広告のスポンサーが番組中のスポンサーと競合することなく、広告配信の効果を向上させることができる。
【００９４】
また例えば、表示装置５からの要求に含まれている番組情報に基づいて、ＣＭ時間以外のタイミングと広告を表示するタイミングを決定する。これにより、番組中のＣＭと広告とが同時に表示されることがなくなり、広告の効果を損なうことがなくなる。
【００９５】
ステップＳ９では、表示装置５から受信したさらに他のデータに基づいて広告データベース１２２から配信する広告を選択してもよい。また、ステップＳ１０では、表示装置５から受信したさらに他のデータに基づいて表示装置５に配信するタイミングを決定してもよい。さらに他のデータは、例えば、ユーザの属性、表示装置５の設置されている地域、などである。
【００９６】
広告が配信された表示装置５は、広告データに基づいて広告を表示する（ステップＳ１３）。これにより、表示装置５では、ミラーモードからテレビモードに切り替わると、テレビモード中には番組の表示とともに広告が表示されることになる。このため、広告がユーザに提示される機会を格段に増加させることができる。また、表示している番組の内容に適した広告が、適したタイミングで表示されることになる。これにより、ユーザのテレビ番組の視聴を妨げることなく効果的に広告が表示される。
【００９７】
また、広告を配信した管理サーバ１は、メモリ１２に配信結果１２３を記憶させる（ステップＳ１５）。配信結果１２３は、一例として、配信した広告固有の識別情報と配信先の表示装置５固有の識別情報との組み合せである。好ましくは、配信結果１２３は、表示装置５から受信したデータの少なくとも一部と関連付けて記憶させる。表示装置５から受信したデータの少なくとも一部は、例えば、ステップＳ９の配信する広告を選択する処理において用いられたデータである。又は、選択する処理で用いられていないデータも含め、表示装置５から受信したデータのすべてを記憶させてもよい。これにより、どのようなデータを識別データとして広告データに含ませることが有効か、などの分析に用いることができる。その結果、より効果的な広告の配信につなげることができる。
【００９８】
図９に示された以上の動作が行われることで、本システムでは、スポンサーにとって効果的な広告の配信を実現することが可能になる。そのため、図６に示されたビジネスモデルで、ステップＳ１０９でスポンサーが管理者に支払う広告費用が確保される。
【００９９】
また、ステップＳ１１３で配信結果がスポンサーに報告されることによって、上記のように配信結果を分析に用いるなど、効果的な広告の配信につなげることができる。これによっても、図６に示されたビジネスモデルで、ステップＳ１０９でスポンサーが管理者に支払う広告費用が確保される。
【０１００】
その結果、管理者は、スポンサーから支払われた広告費用を用いてステップＳ１０７の代金Ｂ，つまり、ユーザが表示装置５を入手する際の表示装置５の費用の補填を行うことができる。これにより、ユーザは、より安価で表示装置５を入手することが可能になる。
【０１０１】
［第２の実施の形態］
【０１０２】
表示装置５に配信される広告は、商品を購入する操作入力を受け付け可能であってもよい。例えば、図５に示されたように、ディスプレイ５４に表示された広告には、購入のための処理を指示するボタン２３が含まれている。
【０１０３】
この場合、図９を再び参照して、表示装置５のプロセッサ５１は、ボタン２３への操作入力を受け付けると（ステップＳ１７）、購入処理のためのデータを送信するとともに、購入処理を管理サーバ１に対して要求する（ステップＳ１９）。管理サーバ１は、要求に応じて購入処理を実行する（ステップＳ２１）。
【０１０４】
ステップＳ２１の購入処理は、一般的な電子的な購入処理であってよい。そのため、ステップＳ１９で表示装置５から送信されるデータは、例えばユーザ名、住所及びクレジットカード情報などの購入処理に必要な一般的なデータである。
【０１０５】
表示装置５に表示される広告を、購入の操作を受け付けることが可能なものとすることで、効果的な販売促進を行うこともできる。これによっても、図６に示されたビジネスモデルで、ステップＳ１０９でスポンサーが管理者に支払う広告費用が確保される。
【０１０６】
［第３の実施の形態］
【０１０７】
第３の実施の形態に係る表示装置５では、図１０に示されたように、ディスプレイ５４の表面に、反射率の高いフィルム５４Ａが貼付されている。フィルム５４Ａは、背面からの光の照射がない場合に、反射率が１００％に近いものとする。このため、ディスプレイ５４消灯時にはフィルム５４Ａに反射されることで表示装置５は鏡として機能する。この場合も、表示装置５のミラーモードに含める。
【０１０８】
一方、フィルム５４Ａは、背面からの光の照射がある場合に、反射率が極めて低くなるものとする。このため、ディスプレイ５４点灯時にはディスプレイ５４の表示がフィルム５４Ａを透過する。
【０１０９】
第３の実施の形態に係る表示装置５では、表示装置５の電源がＯＦＦのときにミラーモードとなり、電源がＯＮされることでテレビモードとなる。この場合、電源ＯＮの操作入力が表示モードの切り替えのトリガとなる。すなわち、プロセッサ５１は、電源ＯＮの操作入力を受け付けると表示モードの切り替えのトリガを検出し、表示モードを切り替える。これにより、ユーザが表示装置５の電源をＯＮしたタイミングでテレビモードとなり、通常のテレビと同じような使い方をすることができる。
【０１１０】
なお、表示モードの切り替えのトリガは、さらに、ディスプレイ５４の向きを組み合わせたものであってもよい。例えば、ディスプレイ５４が第１の向きから第２の向きに変化し、かつ、電源ＯＮの操作入力を受け付けることが切り替えのトリガであってもよい。これにより、ユーザがディスプレイ５４を第２の向きにして電源をＯＮしたタイミングでテレビモードとなり、自然な向きで番組表示を行うことができる。
【０１１１】
［第４の実施の形態］
【０１１２】
なお、第１の実施の形態〜第３の実施の形態では、ミラーモードのときには広告は配信されず、テレビモードのときのみ広告が配信されるものとしている。すなわち、ミラーモードでは広告は表示されない。しかしながら、他の例として、ミラーモードのときに広告が配信されてもよい。例えば、プロセッサ５１はカメラ５７による撮影画像を解析し、予め規定したオブジェクトが含まれる場合には管理サーバ１に広告を要求してもよい。予め規定したオブジェクトは、例えば、帽子やアクセサリーなどの特定の服飾品、などである。これにより、ミラーモードにおいても効果的に広告を表示することができる。
【０１１３】
［第５の実施の形態］
【０１１４】
第１通信装置５３が通信網３にアクセスできないとき、表示装置５は管理サーバ１から広告の配信を受けることがない。この場合、表示装置５では、テレビモードにおいて広告が表示されない。そのため、表示装置５は、少なくともテレビモードにおいては常に通信網３にアクセス可能な状態であることが望ましい。
【０１１５】
そこで、第５の実施の形態に係る機器５は、図３に示されたように、プロセッサ５１は、メモリ５２に記録されているテレビモード用プログラム５２２に従うことによって、さらに、動作制御処理５１８を実行する。動作制御処理５１８によって、第５の実施の形態にかかる表示装置５では、少なくともテレビモードにおいて、通信網３を介して管理サーバ１に接続されていない期間、表示装置５の少なくとも一部機能が制限される。
【０１１６】
管理サーバ１と通信可能な状態にないとは、第１通信装置５３が通信網３にアクセスできない状態を指し、例えば、第１通信装置５３の電源がＯＦＦのときなどである。一部機能は、例えば、テレビ表示である。また、一部機能は、音声出力など、他の機能であってもよい。これにより、管理サーバ１の表示装置５に対する広告配信が成功しやすくなる。
【０１１７】
［第６の実施の形態］
【０１１８】
なお、第１の実施の形態〜第５の実施の形態においては、テレビモードでテレビ表示と広告表示とを行うものとしているが、テレビ表示以外については広告に限定されず、テレビとは異なる情報表示であればどのような情報であってもよい。テレビと異なる情報は、例えば、絵画（美術品の映像）や、世界のエンターテイメントショーなどであってよい。
図１１に示すように、入力装置５５やリモコン６を用いて、ディスプレイ５４に表示された複数のテレビと異なる情報の中からユーザ自身が表示させたいテレビと異なる情報（例えば、絵画１と絵画２）を選択して、左側の領域２２に絵画１を表示させ、右側の領域２２に絵画２を表示させてもよい。これにより、ユーザは自身で選択して好きな絵画１と絵画２のテレビと異なる情報を画面に表示させることができる。
【０１１９】
テレビと異なる情報は、広告に替えて表示されてもよい。又は、広告とともに、表示されてもよい。例えば、図５の例の場合、右側の領域２２に広告を表示し、左側の領域２２にテレビと異なる情報を表示してもよい。又は、テレビと異なる情報は、広告とともに、時間を異ならせて表示されてもよい。例えば、所定の時間間隔で交互に表示されてもよい。
【０１２０】
これにより、テレビと同時に広告以外の情報もユーザに配信することができる。また、ユーザは、テレビの視聴とともに広告以外の情報も得ることができる。
【０１２１】
テレビモードと非テレビモードにおいて、ユーザが入力装置５５やリモコン６を操作して表示画面を切り替えしてもよい。図１２に示すように、テレビ番組をディスプレイ５４の中央の領域２１に表示する第１モード７１と、テレビ番組をディスプレイ５４の中央の領域２１から左右の領域２２に亘って表示する第２モード７２があり、ユーザが入力装置５５又はリモコン６を操作して各モードを選択することができる。上述では第１モード７１はディスプレイ５４の中央の領域２１に表示すると述べたが、ディスプレイ５４の左右の領域２２に表示してもよい。テレビ番組をディスプレイ５４の中央の領域２１から左右の領域２２に亘って表示する場合は、１つのテレビ番組を中央の領域２１から左右の領域２２に亘って表示してもよいし、複数の異なるテレビ番組（例えば、３つのテレビ番組）を中央の領域２１と左右の領域２２と各々の領域で分けて表示してもよい。
【０１２２】
更に、テレビと異なる情報である、例えば広告をディスプレイ５４の左右の領域２２に表示する第３モード７３と、テレビと異なる情報である、例えば広告をディスプレイ５４の中央の領域２１から左右の領域２２に亘って表示する第４モード７４があり、ユーザが入力装置５５又はリモコン６を操作して各モードを選択することができる。上述では第３モード７３はディスプレイ５４の左右の領域２２に表示すると述べたが、ディスプレイ５４の中央の領域２１に表示してもよい。例えば広告をディスプレイ５４の中央の領域２１から左右の領域２２に亘って表示する場合は、１つの広告を中央の領域２１から左右の領域２２に亘って表示してもよいし、複数の異なる広告（例えば、３つの広告）を中央の領域２１と左右の領域２２と各々の領域で分けて表示してもよい。
【０１２３】
これにより、テレビ番組や例えば広告を単独で表示する際に、広い領域で表示することができる。
【０１２４】
＜３．付記＞
本発明は、上記実施形態に限定されるものではなく、様々な変形が可能である。
【符号の説明】
【０１２５】
１        ：管理サーバ
３        ：通信網
５        ：表示装置
６        ：リモコン
７        ：処理装置
９        ：処理装置
１１      ：プロセッサ
１２      ：メモリ
１３      ：通信装置
２１      ：第１の領域
２２      ：第２の領域
２３      ：ボタン
５０      ：制御装置
５１      ：プロセッサ
５２      ：メモリ
５３      ：第１通信装置
５４      ：ディスプレイ
５４Ａ    ：フィルム
５５      ：入力装置
５６      ：センサ
５７      ：カメラ
５８      ：第２通信装置
５９      ：アンテナ
６１      ：ボタン
７１      ：第１モード
７２      ：第２モード
７３      ：第３モード
７４      ：第４モード
１００    ：システム
１１１    ：配信処理
１１２    ：選択処理
１１３    ：登録処理
１１４    ：購入処理
１１５    ：決定処理
１２１    ：機器データベース
１２２    ：広告データベース
１２３    ：配信結果
１２４    ：コンピュータプログラム
５１１    ：検出処理
５１２    ：要求処理
５１３    ：第１出力処理
５１４    ：テレビ出力処理
５１５    ：広告出力処理
５１６    ：切替処理
５１７    ：第２出力処理
５１８    ：動作制御処理
５２１    ：固有データ
５２２    ：テレビモード用プログラム
５２３    ：ミラーモード用プログラム
５２４    ：表示番組データベース
５２２１  ：テレビ出力プログラム
５２２２  ：広告出力プログラム
【図１】
2020198606.tif 000003
【図２】
2020198606.tif 000004
【図３】
2020198606.tif 000005
【図４】
2020198606.tif 000006
【図５】
2020198606.tif 000007
【図６】
2020198606.tif 000008
【図７】
2020198606.tif 000009
【図８】
2020198606.tif 000010
【図９】
2020198606.tif 000011
【図１０】
2020198606.tif 000012
【図１１】
2020198606.tif 000013
【図１２】
2020198606.tif 000014